(57)【要約】【課題】プレキャストセグメント同士の連結を容易に行うことができるプレキャストセグメントの連結構造及びプレキャストセグメントの連結方法を提供する。【解決手段】側壁セグメント１１０の端面１１０ａに軸部４００が突出されている。側壁セグメント１００の端面１０４には軸部４００を挿通する軸部受け５００を備える。軸部受け５００は、軸部４００が挿通された状態で上下方向と軸部４００の軸長方向の両方向にそれぞれ直交する水平方向の移動を規制する規制部５１２と、規制部５１２の上部と連通するガイド部５１４を備える。ガイド部５１４は、規制部５１２から上方へ離間する遠位の部位ほど、水平方向の幅が徐々に広く形成されて最遠位部では側壁セグメント１１０を上方から下方に降ろす組み付け時に軸部４００の係入を許容する開口部５１６を有する。【選択図】図４
2014214447.tif 000002
【特許請求の範囲】
【請求項１】
相互に端面が相対するプレキャストセグメント（以下、セグメントという）同士の一方のセグメントの端面を第１端面とし、第１端面に相対する他方のセグメントの端面を第２端面とし、
第１端面には第２端面側へ突出する軸部が突出され、前記第２端面には前記軸部を挿通する軸部受けを備え、
前記軸部受けは、前記軸部が挿通された状態で上下方向と前記軸部の軸長方向の両方にそれぞれ直交する水平方向の移動を規制する規制部と、前記規制部の下部と連通するガイド部を備え、前記ガイド部は、前記規制部から下方へ離間する遠位の部位ほど、前記水平方向の幅が徐々に広く形成されて最遠位部では他方のセグメントを上方から下方に降ろす組み付け時に前記軸部の係入を許容する開口部を有するプレキャストセグメントの連結構造。
【請求項２】
相互に端面が相対するプレキャストセグメント（以下、セグメントという）同士の一方のセグメントの端面を第１端面とし、第１端面に相対する他方のセグメントの端面を第２端面とし、
第１端面には第２端面側へ突出する軸部が突出され、前記第２端面には前記軸部を挿通する軸部受けを備え、
前記軸部受けは、前記軸部が挿通された状態で上下方向と前記軸部の軸長方向の両方向にそれぞれ直交する水平方向の移動を規制する規制部と、前記規制部の上部と連通するガイド部を備え、前記ガイド部は、前記規制部から上方へ離間する遠位の部位ほど、前記水平方向の幅が徐々に広く形成されて最遠位部では一方のセグメントを上方から下方に降ろす組み付け時に前記軸部の係入を許容する開口部を有するプレキャストセグメントの連結構造。
【請求項３】
前記軸部受けの前記規制部は、上下方向に延出された長溝であり、
前記ガイド部は、前記長溝に連通するように前記遠位の部位ほど前記水平方向に拡がるように形成された斜状のガイド縁を有する溝である請求項１または請求項２に記載のプレキャストセグメントの連結構造。
【請求項４】
相互に端面が相対するプレキャストセグメント（以下、セグメントという）同士の一方のセグメントの端面を第１端面とし、第１端面に相対する他方のセグメントの端面を第２端面とするプレキャストセグメントの連結方法において、
前記第１端面から突出した軸部を有する一方のセグメントを設置した状態で、
前記他方のセグメントを上方から下方に移動させて、前記第２端面に設けられた軸部受けの開口部に前記軸部を係入する段階と、
前記軸部受けを構成するとともに前記開口部に連通するガイド部であって、前記開口部から上方へ行くほど上下方向と、前記係入された軸部の軸長方向の両方にそれぞれ直交する水平方向の幅が狭くなるガイド部が前記軸部と干渉することにより、前記他方のセグメントが上方から下方に移動中に前記他方のセグメントの前記水平方向の位置がガイドされる段階と、
前記軸部受けを構成するとともに前記ガイド部に連通する規制部に前記軸部が係入された際、前記規制部により前記他方のセグメントの前記水平方向の移動を規制する段階とを備えるプレキャストセグメントの連結方法。
【請求項５】
相互に端面が相対するプレキャストセグメント（以下、セグメントという）同士の一方のセグメントの端面を第１端面とし、第１端面に相対する他方のセグメントの端面を第２端面とするプレキャストセグメントの連結方法において、
前記第２端面を有する他方のセグメントを設置した状態で、前記第１端面から突出した軸部を有する一方のセグメントを上方から下方に移動させて、前記第２端面に設けられた軸部受けの開口部に前記軸部を係入する段階と、
前記軸部受けを構成するとともに前記開口部に連通するガイド部であって、前記開口部から下方へ行くほど上下方向と、前記係入された軸部の軸長方向の両方にそれぞれ直交する水平方向の幅が狭くなるガイド部により、前記他方のセグメントを上方から下方に移動中に前記軸部をガイドする段階と、
前記軸部受けを構成するとともに前記ガイド部に連通する規制部に前記ガイド部によりガイドされた前記軸部が係入された際、前記規制部により前記水平方向の前記軸部の移動を規制する段階とを備えるプレキャストセグメントの連結方法。
【発明の詳細な説明】
【技術分野】
【０００１】
本発明は、プレキャストセグメントの連結構造及びプレキャストセグメントの連結方法に関するものである。
【背景技術】
【０００２】
従来から、大形のコンクリート貯槽を設置するために、予め工場でプレキャストセグメント（以下、セグメントという）を製作し、各セグメントを現場で組み立てるプレキャスト技術が、例えば特許文献１及び特許文献２により公知である。
【０００３】
特許文献１及び特許文献２では、コンクリート貯槽は、ベースと前記ベースの周部上に周壁を有している。前記周壁は、複数のセグメントを連結することにより構成されている。上記のようなセグメント同士の連結方法の一例を図１１及び図１２を参照して説明する。図１２では、セグメント１０、１１が既に連結された状態を示している。同図に示すようにセグメント１０の接合端部の外側面及び内側面の上部及び下部には、Ｈ型鋼材からなる接続金具１２が固定されている。
【０００４】
接続金具１２は、ウエブ１３とウエブ１３の両端に設けられた一対のフランジ１４，１６を備えるとともにフランジ１４，１６，及びウエブ１３により一対の溝１２ａが形成されている。そして、セグメント１０，１１の相対するそれぞれの端部に対し接続金具１２の各溝１２ａが嵌め込みされるとともに、図１２に示すように接続金具１２のウエブ１３が、セグメント１０，１１間に介在するように配置されている。
【０００５】
そして、図１１、図１２に示すように接続金具１２のフランジ１４はセグメント１０，１１の外側面に対してそれぞれボルト１８により締め付け固定されるとともにフランジ１６はセグメント１０，１１の内側面に対してそれぞれボルト２０により締め付け固定されている。
【０００６】
上記セグメント１０，１１を組み付けする場合は、図１１に示すように、現場に設置されたセグメント１０に対して、接続金具１２をボルト１８，２０で固定した状態にする。この状態で、図１１に示すように、セグメント１０に固定した接続金具１２の溝１２ａの上方に位置させるようにセグメント１１を重機により吊り上げて、この状態から溝１２ａ内にセグメント１１の端部を嵌入させて、セグメント１１を下まで降ろすようにしている。セグメント１１を降ろした後、接続金具１２のフランジ１４，１６をそれぞれセグメント１１の内側面及び外側面に対してボルト１８，２０により締め付け固定する。
【先行技術文献】
【特許文献】
【０００７】
【特許文献１】特開平８−２８４４６１号公報
【特許文献２】特開平８−３３７２９３号公報
【発明の概要】
【発明が解決しようとする課題】
【０００８】
ところで、上記の方法は、セグメント１１を接続金具１２の溝１２ａの上方に正確に位置していない場合には、そのままセグメント１１を降ろしても、接続金具１２に干渉して溝１２ａ内にセグメント１１を入れることができない問題がある。また、予め現場に設置したセグメント１０が傾いている場合、または吊り上げられたセグメント１１の姿勢が傾いていても、上記と同様にセグメントの接合作業を簡単にできない問題があった。
【０００９】
本発明の目的は、プレキャストセグメント同士の連結を容易に行うことができるプレキャストセグメントの連結構造及びプレキャストセグメントの連結方法を提供することにある。
【課題を解決するための手段】
【００１０】
上記問題点を解決するために、本発明のプレキャストセグメントの連結構造は、相互に端面が相対するプレキャストセグメント（以下、セグメントという）同士の一方のセグメントの端面を第１端面とし、第１端面に相対する他方のセグメントの端面を第２端面とし、第１端面には第２端面側へ突出する軸部が突出され、前記第２端面には前記軸部を挿通する軸部受けを備え、前記軸部受けは、前記軸部が挿通された状態で上下方向と前記軸部の軸長方向の両方にそれぞれ直交する水平方向の移動を規制する規制部と、前記規制部の下部と連通するガイド部を備え、前記ガイド部は、前記規制部から下方へ離間する遠位の部位ほど、前記水平方向の幅が徐々に広く形成されて最遠位部では他方のセグメントを上方から下方に降ろす組み付け時に前記軸部の係入を許容する開口部を有するものである。
【００１１】
また、本発明のプレキャストセグメントの連結構造は、相互に端面が相対するプレキャストセグメント（以下、セグメントという）同士の一方のセグメントの端面を第１端面とし、第１端面に相対する他方のセグメントの端面を第２端面とし、第１端面には第２端面側へ突出する軸部が突出され、前記第２端面には前記軸部を挿通する軸部受けを備え、前記軸部受けは、前記軸部が挿通された状態で上下方向と前記軸部の軸長方向の両方にそれぞれ直交する水平方向の移動を規制する規制部と、前記規制部の上部と連通するガイド部を備え、前記ガイド部は、前記規制部から上方へ離間する遠位の部位ほど、前記水平方向の幅が徐々に広く形成されて最遠位部では一方のセグメントを上方から下方に降ろす組み付け時に前記軸部の係入を許容する開口部を有するものである。
【００１２】
また、前記軸部受けの前記規制部は、上下方向に延出された長溝であり、前記ガイド部は、前記長溝に連通するように前記遠位の部位ほど前記水平方向に拡がるように形成された斜状のガイド縁を有する溝であることが好ましい。
【００１３】
また、本発明のプレキャストセグメントの連結方法は、相互に端面が相対するプレキャストセグメント（以下、セグメントという）同士の一方のセグメントの端面を第１端面とし、第１端面に相対する他方のセグメントの端面を第２端面とするプレキャストセグメントの連結方法において、前記第１端面から突出した軸部を有する一方のセグメントを設置した状態で、前記他方のセグメントを上方から下方に移動させて、前記第２端面に設けられた軸部受けの開口部に前記軸部を係入する段階と、前記軸部受けを構成するとともに前記開口部に連通するガイド部であって、前記開口部から上方へ行くほど上下方向と直交する水平方向の幅が狭くなるガイド部が前記軸部と干渉することにより、前記他方のセグメントが上方から下方に移動中に前記他方のセグメントの前記水平方向の位置がガイドされる段階と、前記軸部受けを構成するとともに前記ガイド部に連通する規制部であって、前記軸部が係入された際、前記規制部により前記他方のセグメントの前記水平方向の移動を規制する段階とを備えるものである。
【００１４】
また、本発明のプレキャストセグメントの連結方法は、相互に端面が相対するプレキャストセグメント（以下、セグメントという）同士の一方のセグメントの端面を第１端面とし、第１端面に相対する他方のセグメントの端面を第２端面とするプレキャストセグメントの連結方法において、前記第２端面を有する他方のセグメントを設置した状態で、前記第１端面から突出した軸部を有する一方のセグメントを上方から下方に移動させて、前記第２端面に設けられた軸部受けの開口部に前記軸部を係入する段階と、前記軸部受けを構成するとともに前記開口部に連通するガイド部であって、前記開口部から下方へ行くほど上下方向と直交する水平方向の幅が狭くなるガイド部により、前記他方のセグメントを上方から下方に移動中に前記軸部をガイドする段階と、前記軸部受けを構成するとともに前記ガイド部に連通する規制部に前記ガイド部によりガイドされた前記軸部が係入された際、前記規制部により前記水平方向の前記軸部の移動を規制する段階とを備えるものである。
【発明の効果】
【００１５】
本発明によれば、プレキャストセグメント同士の連結を容易に行うことができる。
【図面の簡単な説明】
【００１６】
【図１】第１実施形態のコンクリート貯槽の周壁の要部斜視図。
【図２】第１実施形態のセグメントの連結方法を示す要部斜視図。
【図３】（ａ）は第１実施形態のセグメントの連結構造を示す側面図、（ｂ）は上下に配置した側壁セグメントの連結構造を示す側面図。
【図４】第１実施形態のセグメントの連結方法を示す側面図。
【図５】第１実施形態のセグメントの端面の斜視図。
【図６】第１実施形態のセグメントに埋め込まれる軸部受けの斜視図。
【図７】第１実施形態のセグメントに埋め込まれる連結ボックスの斜視図。
【図８】第１実施形態のセグメントの端面の正面図。
【図９】第２実施形態のセグメントの端面の斜視図。
【図１０】第２実施形態のセグメントの連結方法を示す側面図。
【図１１】従来のセグメント同士を連結する方法の説明図。
【図１２】従来のセグメント同士が連結された状態の斜視図。
【発明を実施するための形態】
【００１７】
（第１実施形態の構成）
以下、図１〜図８を参照して本発明を具体化したセグメントの連結構造及びセグメントの連結方法をコンクリート貯槽の周壁に適用した一実施形態を説明する。
【００１８】
一般的に、コンクリート貯槽は、図示しないベースとそのベース上に載置固定された周壁及び前記周壁上部の開口を閉塞する図示しない蓋を有する。前記ベースは現地で施工される。
【００１９】
図１に示すように、前記コンクリート貯槽の周壁Ｓは、複数の環状の枠部５０を積層して構成されている。各枠部５０は複数の側壁セグメント１００，１１０，１２０，１３０，１４０，１５０を連結して構成されている。側壁セグメント１００，１１０，１２０，１３０，１４０，１５０はプレキャストコンクリートである。
【００２０】
本実施形態では、説明の便宜上、図１では最下層の段の枠部５０には５０Ａを付して実線で示し、枠部５０Ａに積層された２段目の枠部５０には５０Ｂを付して二点鎖線で示している。２段目以上に積層される枠部における連結構造は同じである。このため、以下では枠部５０Ａにおける各セグメントの連結構造について説明し、他の枠部についてはその説明を省略する。
【００２１】
図１に示すように側壁セグメント１００，１３０は、平面視でコ字状に形成されている。また、側壁セグメント１１０，１２０，１４０，１５０は、平板状に形成されている。図１、図２に示すように側壁セグメント１００，１３０の両端の内側面１０１，１０２には、高さ及びセグメントの幅方向の位置を同一にする一対の嵌合部１０３が凹設されている。各嵌合部１０３内には、金属製であって、同じ大きさの連結ボックス２００が嵌合されて固定されている。
【００２２】
図７に示すように連結ボックス２００は四角ボックス状に形成され、その一側面が開放されている。また、図３に示すように連結ボックス２００は、その開放部２０５を内側面１０１，１０２側で開放するようにして側壁セグメントの嵌合部１０３内に嵌合されている。また、図１，図３に示すように連結ボックス２００の一側壁２１０は、側壁セグメント１００，１３０の端面１０４，１３４と面一となるように配置されている。図７に示すように側壁２１０には長孔状の貫通孔２１２が斜状に形成されている。前記側壁２１０の上下裏面には一対のアンカー２１４がそれぞれ設けられている。
【００２３】
なお、各側壁セグメントに配置された連結ボックス２００の貫通孔２１２は、側壁セグメントの端面同士が当接した際に、対向する他の側壁セグメントの連結ボックス２００の貫通孔２１２とＸ字状に交差するように配置されている。
【００２４】
また、側壁セグメント１１０，１２０，１４０，１５０の両端の内側面には側壁セグメント１００，１３０と同一構成の嵌合部及び連結ボックスが設けられている。側壁セグメント１１０，１２０，１４０，１５０に設けられた嵌合部及び連結ボックスに付す符号は、前記側壁セグメント１００，１３０の嵌合部及び連結ボックスと同一のものを付して、説明を省略する。
【００２５】
また、相互に端面が相対する側壁セグメント同士の連結は同じであるため、以下では、側壁セグメント１００と側壁セグメント１１０との連結構造について説明する。
図３に示すように、側壁セグメント１００と側壁セグメント１１０は、その端面が当接した状態となっており、この状態で互いに相対する両連結ボックス２００の各貫通孔２１２に挿通したボルト３００にはナット３１０が螺合されている。このボルト３００とナット３１０の締め付けにより、互いに相対する連結ボックス２００は連結固定され、ひいては、側壁セグメント１００と側壁セグメント１１０との端面同士が密接状態となっている。
【００２６】
なお、図示はしないが、ボルト３００及びナット３１０が締結された後は、連結ボックス２００内は図示しないモルタルが充填されて、モルタルの表面は側壁セグメント１００，１１０の内側面と面一にされる。
【００２７】
側壁セグメント１１０，１２０間、１２０，１３０間、１３０，１４０間、１００，１５０間、１５０，１４０間及び１４０，１３０間についても同様にして連結ボックス２００の貫通孔２１２に挿通されたボルト及びナットにより連結されている。
【００２８】
また、図２、図３及び図４に示すように、側壁セグメント１００の端面１０４下部には、軸部４００が側壁セグメント１１０の端面１１０ａに向かって突出されている。本実施形態では、軸部４００は側壁セグメント１００の端面内に埋設された雌ネジ部材４１０に対してネジ込みしたボルトにより構成されている。そして、そのボルトのヘッド及びヘッドの首部分が端面１０４から突出させている。
【００２９】
図３及び図４に示すように側壁セグメント１１０の端面１１０ａ下部は凹部１１９が形成されて、その凹部１１９には、軸部受け５００が設けられている。
図６に示すように軸部受け５００は、側壁セグメント１１０の端面１１０ａに対して面一に配置される軸受け板部５１０と、軸受け板部５１０の上下両端にそれぞれ一対が固定されるとともに側壁セグメント１１０の端面内に埋設されたアンカー５２０からなる。
【００３０】
また、図３、図４に示すように、軸受け板部５１０の裏面と側壁セグメント１１０の凹部１１９の底面間は、軸部４００の先端（本実施形態では、ボルトのヘッド）の挿入を許容するギャップを有する。
【００３１】
本実施形態では、アンカー５２０は、棒材からなるが、棒材に限定されるものではなく、板材にて形成されていてもよい。前記アンカー５２０は互いに平行に配置されている。軸部受け５００の材質は金属製が好ましいが、硬質のものであれば、限定するものではない。
【００３２】
図６に示すように、軸受け板部５１０にはその上部から下部にかけて、規制部５１２、ガイド部５１４及び開口部５１６が順に形成されている。
規制部５１２は、本実施形態では上下方向に延出されて上端が閉塞された長溝に形成されている。前記長溝は、前記軸部４００の首部分を上下方向の移動のみ許容する幅を有する。すなわち、長溝の幅は、軸部４００が挿通された状態で、上下方向と軸部４００の軸長方向の両方向に対してともに直交する水平方向の移動を規制するようにされている。
【００３３】
また、本実施形態では、軸部４００のヘッドの大きさが、規制部５１２（長溝）の水平方向の幅よりも長いため、軸長方向において、軸部４００が側壁セグメント１１０から相対的に離間する方向への移動も規制する。
【００３４】
図６に示すようにガイド部５１４の上部は、前記規制部５１２の下部と連通している。ガイド部５１４は下部にいくほど、すなわち、規制部５１２から下方の遠位の部位に行くほど、前記水平方向の幅が広くなるように斜状のガイド縁５１５を有する溝に形成されている。また、ガイド部５１４の最遠位部となる下部には、前記開口部５１６が形成され、前記軸部４００の下方からガイド部５１４内への挿入を許容するようにしている。
【００３５】
図３に示すように、側壁セグメント１００，１１０が相互に連結されている状態では、前記軸部４００は、前記軸部受け５００の規制部５１２の上端近傍において貫通されている。図３に示すように、側壁セグメント１００，１１０の相対する両端部の上面間には、連結板６００が架けわたされている。そして、連結板６００に対してボルト６１０が挿通されて、前記上面内に設けられた雌ネジ部材６２０に螺入することにより、連結板６００は両側壁セグメント１００，１１０に固定されている。
【００３６】
側壁セグメント１００，１１０の両端部の下面には、前記連結板６００、及びボルト６１０のヘッドに干渉しないように段部１０７，１０８がそれぞれ形成されている。
以上の説明では、枠部５０Ａの側壁セグメント１００，１１０間の接続を主に説明したが、図１に示す側壁セグメント１００，１５０間についても同様である。すなわち、側壁セグメント１００の端面に連結ボックス２００及び軸部４００を有し、側壁セグメント１５０の端面に連結ボックス２００及び軸部受け５００を有して、同様に連結されている。
【００３７】
また、枠部５０Ａの側壁セグメント１１０，１２０間は、側壁セグメント１１０の端面に連結ボックス２００及び軸部４００を有し、側壁セグメント１２０の端面に連結ボックス２００及び軸部受け５００を有して、同様に連結されている。
【００３８】
さらに、枠部５０Ａの側壁セグメント１５０，１４０間は、側壁セグメント１５０の端面に連結ボックス２００及び軸部４００を有し、側壁セグメント１４０の端面に連結ボックス２００及び軸部受け５００を有して、同様に連結されている。
【００３９】
また、枠部５０Ａの側壁セグメント１２０，１３０間は、側壁セグメント１２０の端面に連結ボックス２００及び軸部４００を有し、側壁セグメント１３０の端面に連結ボックス２００及び軸部受け５００を有して、同様に連結されている。さらに、枠部５０Ａの側壁セグメント１４０，１３０間では、側壁セグメント１４０の端面に連結ボックス２００及び軸部４００を有し、側壁セグメント１４０の端面に連結ボックス２００及び軸部受け５００を有して、同様に連結されている。
【００４０】
２段目以上の枠部５０Ｂ等は、枠部５０Ａの上に順に積層されており、枠部５０Ｂ等の各側壁セグメント間は枠部５０Ａの各側壁セグメント間と同様に連結されることにより、周壁Ｓが構成されている。
【００４１】
また、図３（ｂ）を参照して、上下に積層された枠部の連結構造について説明する。上下に積層された各枠部同士の連結構造は同じであるため、ここでは枠部５０Ａの側壁セグメント１００と、枠部５０Ｂの側壁セグメント１００の連結構造を代表して説明する。なお、図３（ｂ）では、説明の便宜上、枠部５０Ａの側壁セグメント１００には１００Ａの符号を付し、枠部５０Ｂの側壁セグメント１００には１００Ｂの符号を付す。
【００４２】
側壁セグメント１００Ａ，１００Ｂには、両端部間からそれぞれ離間した上下両端面に連結部６００Ａ，６００Ｂが設けられている。側壁セグメント１００Ａの上端面に設けられた連結部６００Ａと、側壁セグメント１００Ｂの下端面に設けられた連結部６００Ｂは、互いに相対する位置に設けられている。
【００４３】
図３（ｂ）に示すように、連結部６００Ａ、６００Ｂは、コ字状の連結金具６１１が、側壁セグメントに埋設されることにより構成されている。前記連結金具６１１は、一対の折曲片６１２と、両折曲片６１２を連結する連結片６１４からなる。
【００４４】
側壁セグメント１００Ａの上下両端面に設けられた連結片６１４の外面は、側壁セグメント１００Ａの端面と面一に配置されている。図３（ｂ）では、側壁セグメント１００Ａの上端面に連結片６１４の外面が面一となっているところが図示されている。また、図示はしないが側壁セグメント１００Ａの下端面に設けられた連結金具６１１の連結片６１４は、外面が側壁セグメント１００Ａの下端面と面一に配置されている。
【００４５】
また、側壁セグメント１００Ｂの上下両端面に設けられた連結片６１４の外面は、側壁セグメント１００Ｂの端面と面一に配置されている。
そして、図３（ｂ）に示すように、互いに相対した枠部５０Ａ，５０Ｂの各側壁セグメントは、各連結金具６１１の連結片６１４に対して共に挿通したボルト７００にナット７１０が螺合されることにより相互に固定されている。
【００４６】
なお、図３（ｂ）に示すように、側壁セグメント１００Ａ，１００Ｂの連結部６００Ａ，６００Ｂが設けられた内側面には、前記ボルト７００とナット７１０を締結操作するための操作凹部８００Ａ，８００Ｂがそれぞれ凹設されている。この操作凹部８００Ａ，８００Ｂは、前記ボルト７００とナット７１０が締結された後は、モルタルを充填する。側壁セグメント１００Ａ，１００Ｂ以外の他の側壁セグメントにおいて設けられた連結部についても、同様の構成である。
【００４７】
このため、図１では、側壁セグメント１００Ａ，１００Ｂ以外の他の側壁セグメントにおいて設けられた連結部についても同様に６００Ａ，６００Ｂの符号を付す。
また、各連結ボックス２００内、及び各セグメントに設けられる段部１０７，１０８等と当該段部１０７，１０８に相対する下方のセグメント間に形成される空間には、モルタルを充填する。
【００４８】
ここで、枠部において、軸部４００を有する端面は第１端面に相当する。また、軸部受け５００を有する端面は第２端面に相当する。
（第１実施形態の作用）
上記のように構成されたコンクリート貯槽の周壁Ｓの組み付け方法を説明する。なお、各枠部の連結方法は共通しているため、以下では枠部５０Ａの連結方法について説明する。
【００４９】
図２に示すように、側壁セグメント１００を地盤に載置した状態にする。図４に示すように、この場合、地盤Ｇからの鉛直線に対し側壁セグメント１００を端面１０４を上を若干向くようにすることが好ましい。すなわち、図４に示すように、鉛直線Ｙに対して、端面１０４が角度θ（＞０）を有することが好ましい。なお、角度θは、例えば、数度の範囲内であればよい。なお、図４では、側壁セグメント１００を鉛直線Ｙから角度θ（＞０）を明示するために端面１０４の傾きを誇張して図示している。上記のように側壁セグメント１００を傾ける場合は、地盤Ｇを予め斜面を有するようにしておく。
【００５０】
この状態で、図４に示すように側壁セグメント１１０を図示しない重機で吊り上げて、側壁セグメント１１０の端面１１０ａを、鉛直線Ｙと平行又は略平行にして側壁セグメント１００の端面１０４の上方に位置させる。
【００５１】
端面１１０ａが鉛直線Ｙと平行又は略平行の状態を維持するようにして、側壁セグメント１１０を下げていく。そして、軸部４００の先端を、側壁セグメント１１０の軸部受け５００の開口部５１６を介してガイド部５１４内に挿入（係入）する。本実施形態では、軸部４００はボルトにより構成されているため、ヘッドの首部分をガイド部５１４内に挿入（係入）する。
【００５２】
この状態で、さらに側壁セグメント１１０を下げていくと、側壁セグメント１１０が側壁セグメント１００の内側面１０１側、或いは側壁セグメント１００の外側面側に偏位した場合にも、ガイド縁５１５が軸部４００によりガイドを受ける。このため、軸部４００が長溝の始端（下端）に到達したときは側壁セグメント１１０の少なくとも端面１１０ａ側の偏位がなくなるように修正される。
【００５３】
そして、軸部４００（すなわち、ヘッドの首部分）が軸部受け５００の規制部５１２に挿入（係入）されてその終端に到達するまで、側壁セグメント１１０を重機で降ろす。このとき、規制部５１２に挿入された軸部４００はそのヘッドの大きさが、規制部５１２（長溝）の水平方向の幅よりも長いため、軸長方向において、軸部４００が側壁セグメント１１０から相対的に離間する方向への移動も規制する。
【００５４】
この降ろされた状態の側壁セグメント１１０は、地盤Ｇの斜面上に載置される。
降ろされた後の側壁セグメント１１０の端面１１０ａは、側壁セグメント１００の端面１０４と相対するため、相互に相対した両セグメントの各連結ボックス２００の貫通孔２１２にボルト３００をそれぞれ挿通してナット３１０を螺合して締め付けする。
【００５５】
以下、同様にして、側壁セグメント１００と側壁セグメント１５０を連結する。また、地盤に載置された側壁セグメント１１０，１５０に対して、側壁セグメント１２０，１４０をそれぞれ同様にして連結する。また、地盤に載置された側壁セグメント１２０，１４０に対して、側壁セグメント１３０の両端面をそれぞれ同様にして連結して、枠部５０Ａを形成する。
【００５６】
次に、枠部５０Ａ上に、枠部５０Ｂを構成する各側壁セグメントを同様にして連結する。この場合、互いに相対した枠部５０Ａ，５０Ｂの各側壁セグメントは、各連結金具６１１の連結片６１４に対して共に挿通したボルト７００にナット７１０が螺合されることにより相互に固定する。
【００５７】
以下、順に下層となる枠部に対して上層となる枠部の各側壁セグメントを連結して周壁Ｓを完成する。周壁Ｓを完成した後、周壁Ｓが乗っている地盤を掘り下げて、地盤を平にした後、図示しないベースを施工する。
【００５８】
本実施形態によれば、下記の特徴がある。
（１）  本実施形態のセグメントの連結構造は、側壁セグメント１００の端面１０４を第１端面とし、端面１０４に相対する側壁セグメント１１０の端面１１０ａを第２端面としている。そして、端面１０４（第１端面）には端面１１０ａ（第２端面）側へ突出する軸部４００が突出されている。また、側壁セグメント１１０の端面１１０ａ（第２端面）には軸部４００を挿通する軸部受け５００を備えている。また、軸部受け５００は、軸部４００が挿通された状態で上下方向と軸部４００の軸長方向の両方向にそれぞれ直交する水平方向の移動を規制する規制部５１２と、規制部５１２の下部と連通するガイド部５１４を備えている。また、ガイド部５１４は、規制部５１２から下方へ離間する遠位の部位ほど、前記水平方向の幅が徐々に広く形成されて最遠位部では他方の側壁セグメント１１０を上方から下方に降ろす組み付け時に軸部４００の係入を許容する開口部５１６を有する。
【００５９】
本実施形態では、一方の側壁セグメントを載置した状態で、他方の側壁セグメントを下げていくと、側壁セグメント１１０が側壁セグメント１００の内側面１０１側、或いは側壁セグメント１００の外側面側に偏位した場合にも、ガイド部５１４が軸部４００によりガイドを受けるため、側壁セグメント１１０の偏位がなくなるように修正する。この結果、本実施形態によれば、プレキャストセグメント同士の連結を容易に行うことができる。すなわち、予め現場に設置したセグメントが傾いている場合、または吊り上げられたセグメントの姿勢が傾いていても、セグメントの接合作業を簡単にできる効果がある。
【００６０】
（２）  本実施形態では、軸部受け５００の規制部５１２は、上下方向に延出された長溝にしている。また、ガイド部５１４は、前記長溝に連通するように遠位の部位ほど水平方向に拡がるように形成された斜状のガイド縁５１５を有する溝にしている。
【００６１】
この結果、降ろされる側壁セグメント１１０が側壁セグメント１００の内側面１０１側、或いは側壁セグメント１００の外側面側に偏位した場合、斜状のガイド縁５１５を有する溝が軸部４００によりガイドを受けることになる。この結果、上記（１）の効果を容易に実現できる。
【００６２】
（３）  本実施形態では、軸部４００のヘッドの大きさが、規制部５１２（長溝）の水平方向の幅よりも長くしているため、軸長方向において、軸部４００が側壁セグメント１１０から相対的に離間する方向への移動も規制できる。このため、規制部５１２（長溝）に軸部４００の首部分が係入した場合、軸長方向において、側壁セグメント１１０から相対的に離間する方向への軸部４００の移動を規制できる。
【００６３】
（４）  本実施形態のセグメントの連結方法は、側壁セグメント１００を設置した状態で、側壁セグメント１１０を上方から下方に移動させて、端面１１０ａ（第２端面）の軸部受け５００の開口部５１６に側壁セグメント１００の軸部４００を挿入する。そして、開口部５１６から、ガイド部５１４に係入された軸部４００とガイド部５１４とが干渉することにより、下方に移動中の側壁セグメント１１０の水平方向の位置をガイドする。そして、規制部５１２に軸部４００が係入された際、規制部５１２により側壁セグメント１１０の水平方向の移動を規制する。この結果、本実施形態の方法により、プレキャストセグメント同士の連結を容易に行うことができる。
【００６４】
（第２実施形態）
図９及び図１０を参照して、第２実施形態について説明する。なお、第２実施形態では、第１実施形態と異なる構成について主に説明し、第１実施形態と同一又は相当する構成は同一符号を付して、その説明を省略する。
【００６５】
前記実施形態では、側壁セグメント１００の端面１０４に軸部４００を設けるとともに、側壁セグメント１１０の端面１１０ａに軸部受け５００を設けた。
これに対して、図９、図１０に示すように、本実施形態では、側壁セグメント１００の端面１０４に軸部受け５００を設けるとともに、側壁セグメント１１０の端面１１０ａに軸部４００を設けたところが異なっている。
【００６６】
前記実施形態で説明した側壁セグメント１００、１１０以外の他の側壁セグメント間においても、前記実施形態で説明したセグメントの端面に設けた軸部４００の代わりに本実施形態では軸部受け５００が設けられているところが異なっている。
【００６７】
また、前記実施形態で説明した側壁セグメント１００、１１０以外の他の側壁セグメント間においても、前記実施形態で説明したセグメントの端面に設けた軸部受け５００の代わりに本実施形態では軸部４００が設けられているところが異なっている。
【００６８】
また、図９に示すように本実施形態では、軸部受け５００は、側壁セグメントの端面に対して前記実施形態とは上下を逆にして取付けられているところが異なっている。図９の例では、側壁セグメント１００の端面１０４の下部において、軸部受け５００が前記実施形態の場合とは異なり、上下を逆にして取り付けられているところが図示されている。
【００６９】
このように軸部受け５００を前記実施形態とは上下逆に配置することにより、軸部受け５００は、軸部４００が挿通された状態で上下方向と軸部４００の軸長方向の両方向にそれぞれ直交する水平方向の移動を規制する規制部５１２を有することになる。また、本実施形態では、ガイド部５１４は、規制部５１２の上部と連通する。さらに、ガイド部５１４は、規制部５１２から上方へ離間する遠位の部位ほど、前記水平方向の幅が徐々に広く形成されて最遠位部では一方のセグメントを上方から下方に降ろす組み付け時に軸部４００の係入を許容する開口部５１６を有することになる。
【００７０】
ここで、本実施形態では、枠部において、軸部４００を有する端面１１０ａは第１端面に相当する。また、軸部受け５００を有する端面１０４は第２端面に相当する。
（第２実施形態の作用）
上記のように構成されたコンクリート貯槽の周壁Ｓの組み付け方法を説明する。なお、各枠部の連結方法は共通しているため、以下では枠部５０Ａの連結方法について説明する。
【００７１】
図１０に示すように、側壁セグメント１００を地盤に載置した状態にする。本実施形態においても図１０に示すように、地盤Ｇからの鉛直線に対し側壁セグメント１００の端面１０４が、若干上を向くようにすることが好ましい。すなわち、図１０に示すように、鉛直線Ｙに対して、端面１０４が角度θ（＞０）を有することが好ましい。角度θについて、前記実施形態と同様である。なお、図１０では、側壁セグメント１００を鉛直線Ｙから角度θ（＞０）を明示するために端面１０４の傾きを誇張して図示している。上記のように側壁セグメント１００を傾ける場合は、地盤Ｇを予め斜面を有するようにしておく。
【００７２】
この状態で、図１０に示すように側壁セグメント１１０を図示しない重機で吊り上げて、側壁セグメント１１０の端面１１０ａを、鉛直線Ｙと平行又は略平行にして側壁セグメント１００の端面１０４の上方に位置させる。
【００７３】
端面１１０ａが鉛直線Ｙと平行又は略平行の状態を維持するようにして、側壁セグメント１１０を下げていく。そして、軸部４００の先端を、側壁セグメント１００の軸部受け５００の開口部５１６を介してガイド部５１４内に挿入（係入）する。本実施形態では、軸部４００はボルトにより構成されているため、ヘッドの首部分をガイド部５１４内に挿入（係入）する。
【００７４】
この状態で、さらに側壁セグメント１１０を下げていくと、側壁セグメント１１０が側壁セグメント１００の内側面１０１側、或いは側壁セグメント１００の外側面側に偏位した場合にも、軸部４００がガイド縁５１５によりガイドを受ける。このため、軸部４００が長溝の始端（下端）に到達したときは側壁セグメント１１０の少なくとも端面１１０ａ側の偏位がなくなるように修正される。
【００７５】
そして、軸部４００（すなわち、ヘッドの首部分）が軸部受け５００の規制部５１２に挿入（係入）されてその終端に到達するまで、側壁セグメント１１０を重機で降ろす。このとき、規制部５１２に挿入された軸部４００はそのヘッドの大きさが、規制部５１２（長溝）の水平方向の幅よりも長いため、軸長方向において、軸部４００が側壁セグメント１１０から相対的に離間する方向への移動も規制する。この降ろされた状態の側壁セグメント１１０は、地盤Ｇの斜面上に載置される。
【００７６】
降ろされた以後の各セグメントのボルト、ナットによる連結処理、他の枠部の積層による周壁の構築等は、前記実施形態と同様であるので説明を省略する。
本実施形態によれば、下記の特徴がある。
【００７７】
（１）  本実施形態のセグメントの連結構造は、側壁セグメント１１０の端面１１０ａ（第１端面）には側壁セグメント１００の端面１０４（第２端面）側へ突出する軸部４００が突出されている。また、側壁セグメント１００の端面１０４（第２端面）には軸部４００を挿通する軸部受け５００を備えている。
【００７８】
また、軸部受け５００は、軸部４００が挿通された状態で上下方向と軸部４００の軸長方向の両方向にそれぞれ直交する水平方向の移動を規制する規制部５１２と、規制部５１２の上部と連通するガイド部５１４を備える。また、ガイド部５１４は、規制部５１２から上方へ離間する遠位の部位ほど、水平方向の幅が徐々に広く形成されて最遠位部では側壁セグメント１１０を上方から下方に降ろす組み付け時に軸部４００の係入を許容する開口部５１６を有する。この結果、本実施形態では、一方の側壁セグメントを載置した状態で、他方の側壁セグメントを下げていくと、側壁セグメント１１０が側壁セグメント１００の内側面１０１側、或いは側壁セグメント１００の外側面側に偏位した場合にも、ガイド部５１４により軸部４００がガイドを受けるため、側壁セグメント１１０の偏位がなくなるように修正する。この結果、本実施形態によれば、プレキャストセグメント同士の連結を容易に行うことができる。すなわち、予め現場に設置したセグメントが傾いている場合、または吊り上げられたセグメントの姿勢が傾いていても、セグメントの接合作業を簡単にできる効果がある。
【００７９】
（２）  本実施形態のセグメントの連結方法は、側壁セグメント１００を設置した状態で、側壁セグメント１１０を上方から下方に移動させて、端面１０４（第２端面）の軸部受け５００の開口部５１６に側壁セグメント１１０の軸部４００を挿入（係入）する。
【００８０】
そして、開口部５１６から、ガイド部５１４に係入された軸部４００とガイド部５１４が干渉することにより、下方に移動中の側壁セグメント１１０の水平方向の位置をガイドする。そして、規制部５１２に軸部４００が係入された際、規制部５１２により、水平方向の軸部４００の移動を規制する。この結果、本実施形態の方法により、プレキャストセグメント同士の連結を容易に行うことができる。
【００８１】
なお、本発明は前記実施形態に限定されるものではなく、下記のように構成してもよい。
・  前記実施形態では規制部５１２を長溝としたが、長溝に限定するものではなく、規制部５１２の上下方向の長さを軸部４００の首部の上下方向の断面長さとしてもよい。例えば、軸部の首部が断面円形の場合、その円形の径の長さを有する溝としてもよい。
【００８２】
・  また、前記実施形態では、軸部４００をボルトとしたが、ボルトに限定するものではない。軸部４００を例えばヘッドを有していない単純な棒材により形成してもよい。
・  前記実施形態では、ガイド部５１４は、斜状のガイド縁５１５を有する溝に形成した。この場合、斜状とはガイド縁５１５が直線状に形成されていることを意味するが、直線状に限定するものではなく、ガイド縁５１５を円弧状に形成してもよい。
【符号の説明】
【００８３】
Ｓ…周壁、５０，５０Ａ，５０Ｂ…枠部、
１００，１１０，１２０，１３０，１４０，１５０…側壁セグメント、
１０４，１１０ａ，１３４…端面、２００…連結ボックス、
４００…軸部、５００…軸部受け、
５１２…規制部、５１４…ガイド部、５１５…ガイド縁、５１６…開口部。
【図１】
2014214447.tif 000003
【図２】
2014214447.tif 000004
【図３】
2014214447.tif 000005
【図４】
2014214447.tif 000006
【図５】
2014214447.tif 000007
【図６】
2014214447.tif 000008
【図７】
2014214447.tif 000009
【図８】
2014214447.tif 000010
【図９】
2014214447.tif 000011
【図１０】
2014214447.tif 000012
【図１１】
2014214447.tif 000013
【図１２】
2014214447.tif 000014